(57)【要約】【課題】簡単に、変化に富んだ、意図した色調で撮影することができるようにする。【解決手段】ユーザは、撮影時に背景となる複数の背景カーテンの中から所定のものを選択する。ＩＤリーダによって、選択された背景カーテンに設けられたカーテンＩＤタグのＩＤが読み出され、制御装置に通知される。制御装置は、通知されたＩＤに基づいて、背景カーテンの色を判定する。色が淡色でない場合、フラッシュが第１の基準量で充電され、淡色である場合、第２の基準量で充電される。背景カーテンの色によってストロボの明るさが変化するので、適正な色調で撮影することができる。本発明は、写真シール販売機に適用することができる。【選択図】      図１１
2004177767.tif 000002
【特許請求の範囲】
【請求項１】
所定の撮影モードで被写体を撮影する撮影手段と、
前記撮影手段により前記被写体を撮影するとき、前記被写体を照明する照明手段と、
前記撮影手段により撮影された被写体の画像を編集する編集手段と、
前記編集手段により編集された被写体の画像を写真シールに印刷する印刷手段と、
前記撮影手段により前記被写体を撮影するとき、前記被写体の後方に配置される背景として、複数の背景の中から選択された背景に基づいて、前記撮影モードを設定する設定手段と
を備えることを特徴とする写真シール販売機。
【請求項２】
前記設定手段は、前記撮影モードで、前記照明手段の前記被写体を照明する明るさおよび照明位置を変更する
ことを特徴とする請求項１に記載の写真シール販売機。
【請求項３】
前記設定手段は、前記照明手段を構成するフラッシュの充電電圧を、選択された背景に基づいて設定する
ことを特徴とする請求項１に記載の写真シール販売機。
【請求項４】
前記背景は、カーテンである
ことを特徴とする請求項１に記載の写真シール販売機。
【請求項５】
前記撮影手段により前記被写体を撮影するとき、前記被写体の後方に配置される背景として、複数の背景の中から選択された背景を検出する検出手段をさらに備える
ことを特徴とする請求項１乃至４のいずれかに記載の写真シール販売機。
【請求項６】
前記検出手段は、前記背景に付加されているタグからＩＤを検出する
ことを特徴とする請求項５に記載の写真シール販売機。
【請求項７】
前記検出手段により検出された前記背景に基づいて、前記撮影手段による撮影の前に撮影操作を案内する複数の案内情報の中から所定の案内情報を選択する選択手段をさらに備える
ことを特徴とする請求項５に記載の写真シール販売機。
【請求項８】
所定の撮影モードで被写体を撮影し、
前記被写体を撮影するとき、前記被写体を照明し、
撮影された被写体の画像を編集し、
編集された被写体の画像を写真シールに印刷し、
前記被写体を撮影するとき、前記被写体の後方に配置される背景として、複数の背景の中から選択された背景に基づいて、前記撮影モードを設定する
ことを特徴とする写真シール印刷方法。
【発明の詳細な説明】
【０００１】
【発明の属する技術分野】
本発明は、写真シール販売機および写真シール印刷方法、および写真シールユニットに関し、特に、適正な色調で被写体を撮影することができるようにする写真シール販売機および写真シール印刷方法、および写真シールユニットに関する。
【０００２】
【従来の技術】
従来より、ユーザの画像を撮影し、これを予め用意された背景画像と合成して写真シール紙に印刷して出力する写真シール販売機（いわゆる、プリント倶楽部（商標））が知られている。
【０００３】
例えば、特許文献１には、このような写真シール販売機において、ユーザによって撮影され、編集画面に表示されている画像に対して、タッチペンおよび編集パネルを用いて、文字、図形などを書き込むことができるようにすることが開示されている。
【０００４】
また、特許文献２には、ユーザの背景として、ロール状に巻かれた複数種類のスクリーンを配置し、ユーザによって選択された撮影モードに基づいて、複数種類のスクリーンを切り換えることができるようにすることが開示されている。
【０００５】
【特許文献１】
特開２０００−６９４０４号公報
【０００６】
【特許文献２】
特許第３１０９５０７号公報
【０００７】
【発明が解決しようとする課題】
しかしながら、特許文献１および特許文献２に記載されている写真シール販売機においては、ユーザを明るく照明するために、背景カーテンの色、柄に関わらず、一律にフラッシュ光を照射していた。この場合、背景カーテンの色が赤色等の濃い色の場合、適正な色調で撮影されるが、背景カーテンの色がピンク色等の淡い色の場合、適正な色調で撮影されず、白色に撮影されてしまい、せっかく用意した淡い色のカーテンの本来の色が適正な色調で撮影することができなくなってしまう事態が発生するという課題があった。
【０００８】
本発明はこのような状況に鑑みてなされたものであり、ユーザが意図する色調で、簡単に撮影することができるようにするものである。
【０００９】
【課題を解決するための手段】
本発明の写真シール販売機は、所定の撮影モードで被写体を撮影する撮影手段と、撮影手段により被写体を撮影するとき、被写体を照明する照明手段と、撮影手段により撮影された被写体の画像を編集する編集手段と、編集手段により編集された被写体の画像を写真シールに印刷する印刷手段と、撮影手段により被写体を撮影するとき、被写体の後方に配置される背景として、複数の背景の中から選択された背景に基づいて、撮影モードを設定する設定手段とを備えることを特徴とする。
【００１０】
撮影手段は、例えば、ＣＣＤ、ＣＭＯＳ等の撮像素子を含むカメラにより構成され、照明手段は、例えば、照明装置により構成され、編集手段は、例えば、タッチペンにより構成され、印刷手段は、例えば、プリンタユニットにより構成され、設定手段は、例えば、ＣＰＵにより構成される。
【００１１】
撮影モードにより、照明手段の明るさおよび照明位置を変更することができる。
【００１２】
設定手段は、照明手段を構成するフラッシュの充電電圧を、選択された背景に基づいて設定することができる。
【００１３】
したがって、選択された背景を適正な色調で撮影することができる。
【００１４】
背景は、カーテンにより構成することができる。
【００１５】
撮影手段により被写体を撮影するとき、被写体の後方に配置される背景として、複数の背景の中から選択された背景を検出する検出手段をさらに備えることができる。
【００１６】
検出手段は、例えば、ＩＤリーダにより構成することができる。
【００１７】
検出手段は、背景に付加されているタグからＩＤを検出することができる。
【００１８】
検出手段により検出された背景に基づいて、撮影手段による撮影の前に撮影操作を案内する複数の案内情報の中から所定の案内情報を選択する選択手段をさらに備えることができる。
【００１９】
【発明の実施の形態】
以下、図を参照して、本発明の実施の形態について説明する。
【００２０】
図１は、本発明を適用した写真シール販売機１の配置の例を示す図である。
【００２１】
写真シール販売機１の正面に対向する位置には、所定距離だけ離間して背景パネル５１が設置され、ユーザは、写真シール販売機１と背景パネル５１の間の撮影空間５２で撮影を行う。なお、撮影空間５２には、写真シール販売機１の上面と背景パネル５１により支持される天井部材５３、および、撮影空間５２の内部が外側から覗かれることを防止すべく、カーテン５４−１と側面パネル５５−１が設けられている。
【００２２】
撮影空間５２の背景パネル５１の近傍上部には、カーテンレール１１１に架けられ、そこに背景カーテン１０１−１が移動自在に支持されている。なお、図２を参照して後述するように、背景カーテンは複数個（図２の例では、５個）設けられており、そのうちのユーザにより選択されたものが背景カーテン１０１−１である。背景カーテン１０１−１の上部には、カーテンＩＤタグ９１−１Ｌ、９１−１Ｒが付けられており、カーテンレール１１１に設けられたＩＤリーダ８１Ｌ、８１Ｒによって、カーテンのＩＤが読み取られる。
【００２３】
背景カーテン１０１−１の前後を挟んで、天井部材５３には、照明装置７１−２、および７１−６が、撮影空間５２の床部には、照明装置７１−４、および７１−８が、それぞれ設けられている。また、天井部材５３の中央部には照明装置１７−５も設けられている。
【００２４】
図２は、写真シール販売機１の配置の例を、その上方から透視して示す図である。
【００２５】
図２に示されるように、写真シール販売機１の右側の側面１１−１０にも、左側の側面１１−９と同様に、撮影空間５２の内部が外側から覗かれることを防止すべく、カーテン５４−２と側面パネル５５−２が設けられている。
【００２６】
撮影空間５２の背景パネル５１の近傍には、カーテンレール１１１が設けられている。カーテンレール１１１の左右の両端には、ＩＤリーダ８１Ｌ、８１Ｒが設けられており、カーテンのＩＤが読み取られる。カーテンレール１１１には、折り畳み式の背景カーテン１０１−１、１０１−２、１０１−３、１０１−４、および１０１−５が架けられている。図では、ユーザにより選択された背景カーテン１０１−１が伸ばされた状態とされており、その他の背景カーテン１０１−２、１０１−３、１０１−４、および１０１−５は、折り畳まれた状態で、背景カーテン１０１−１の後方に収納されている。背景カーテン１０１−１、１０１−２、１０１−３、１０１−４、および１０１−５の上部の左右両端には、カーテンＩＤタグ９１−１Ｌ、９１−１Ｒ、９１−２Ｌ、９１−２Ｒ、９１−３Ｌ、９１−３Ｒ、９１−４Ｌ、９１−４Ｒ、９１−５Ｌ、９１−５Ｒがそれぞれ設けられている。勿論、カーテンは、５枚に限らず、それ以下、またはそれ以上の任意の複数枚でよいことは言うまでもない。
【００２７】
カーテンレール１１１（背景カーテン１０１−１）を挟んで、前方の左右には、照明装置７１−２、７１−１が、後方の左右には、照明装置７１−６、７１−５がそれぞれ設けられている。また、背景カーテン１０１−１の下方には、背景カーテン１０１−１を挟んで前方の左右には、照明装置７１−４、７１−３が、後方の左右には照明装置７１−８、７１−７がそれぞれ設けられている。（後述する図１５）
【００２８】
次に、撮影を開始してからシール紙を受け取るまでのユーザの移動について説明する。
【００２９】
ユーザは、写真シール販売機１を利用するとき、矢印Ａ１（図中、右側の矢印）で示されるように撮影空間５２に入場し、カーテンレール１１１に架けられている背景カーテン１０１−１乃至１０１−５の中から背景に使用しようとする背景カーテン１０１−ｉ（ｉ＝１、２、３、４、５）を引き伸ばし、背景カーテンの上部両端に設けられているカーテンＩＤタグ９１−ｉＬ、９１−ｉＲが、カーテンレール１１１の両端に設けられたＩＤリーダ８１Ｌ、および８１Ｒに読み取れるようにする。図３には、背景カーテン１０１−１が引き伸ばされた状態が示されている。この場合には、カーテンＩＤタグ９１−１Ｌ、９１−１ＲのＩＤが、ＩＤリーダ８１Ｌ、８１Ｒにより読み取られる。
【００３０】
その後、撮影処理が行われる。撮影、および編集を終えたとき、ユーザは、例えば、矢印Ａ２（図中、左側の矢印）で示されるようにして撮影空間５２から退場し、写真シール販売機１の側面１１−９に臨む場所である印刷待ち空間６１に移動し、画像がシール紙にプリントされ、排出されるまで待機する。
【００３１】
そして、シール取り出し口４１にシール紙が排出されたとき、ユーザは、それを受け取り、写真シール販売機１の利用を終える。これらの移動の案内は、モニタ１５または図示せぬスピーカなどにより行われる。
【００３２】
図４は、写真シール販売機１の構成例を示す斜視図である。
【００３３】
写真シール販売機１の筐体１１の正面下方の面１１−１には、左上方に硬貨投入口１２が設けられており、ユーザは、写真シール販売機１を利用するとき、所定の金額を投入する。また、面１１−１の左右上方には、スピーカ１３Ｌおよび１３Ｒが設けられている。スピーカ１３Ｌおよび１３Ｒは、各種の音声ガイダンスなどを出力し、ユーザに対して、撮影方法（シール作成の進行方法）を案内する。
【００３４】
面１１−１の上方にある、床に対してほぼ平行で、若干正面に向かって傾斜している面１１−２の中央には、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などよりなる確認および編集用のモニタ１５が設置されている。モニタ１５は、撮影方法を案内する画面や、撮影装置３１により撮影された被写体の画像を表示したり、編集対象の画像（以下、適宜、編集対象画像と称する）とともに、様々な編集ツールの選択ボタンなどを表示する。そして、モニタ１５は、タッチペン等で書き込みがされたとき、その入力に応じて生成した編集済みの画像を表示する。
【００３５】
また、面１１−２には、モニタ１５の他に、線画用タッチペン１６Ａ、スタンプ用タッチペン１６Ｂ、および消しゴム用タッチペン１６Ｃが設置されている。
【００３６】
また、モニタ１５には、透明なタッチパネル１２６（図５参照）が積層されており、ユーザは、モニタ１５に表示されている画像に対して、線画用タッチペン１６Ａを操作することにより編集対象画像に任意の線や、文字、図形などを書き込む（入力する）ことができ、スタンプ用タッチペン１６Ｂを操作することにより編集対象画像に任意のスタンプを書き込む（入力する）ことができ、消しゴム用タッチペン１６Ｃを操作することにより編集対象画像に書き込まれた編集情報を消しゴムで消すようにすることができる。
【００３７】
面１１−２の上方には、床に対して垂直であり、正面方向やや内側を向いた面１１−３および１１−４が設けられ、さらに、それらの面１１−３および１１−４の上方、および下方には、所定の角度だけ下側を向いた面１１−５、および所定の角度だけ上側を向いた面１１−６が設けられており、その内部に、照明装置１７−１、１７−２、１７−３、および１７−４がそれぞれ配置されている。照明装置１７−１、１７−２、１７−３、および１７−４は、内部に発光体（フラッシュ）を有しており、ユーザから撮影の開始が指示され、カメラ３２が取り込む画像を静止画像として記憶するとき（キャプチャするとき）、そのタイミングに合わせて閃光を発生し、被写体を照明する。
【００３８】
面１１−３および１１−４の間には、正面方向を向いた、床に対して垂直な面１１−８が設けられており、その面１１−８には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像部材を有するカメラ（デジタルカメラ）３２が収容された撮影装置３１が設置されている。また、撮影装置３１の下方には、小型のＬＣＤなどよりなる取り込み画像表示部３３が配置されている。カメラ３２は、被写体の画像を取り込み、その画像（動画像）は、取り込み画像表示部３３に表示される。取り込み画像表示部３３がカメラ３２の近傍に設けられているため、ユーザは、取り込み画像表示部３３に表示されている自分の画像を確認しながら、視線をほぼカメラ３２に向けた状態で撮影することができる。
【００３９】
また、写真シール販売機１の筐体１１の左側の側面１１−９の下部には、シール取り出し口４１が設けられており、ユーザは、撮影および編集が終了した画像が印刷されたシールをシール取り出し口４１から取り出すことができる。
【００４０】
図５は、写真シール販売機１の内部の構成例を示すブロック図である。
【００４１】
制御装置１２１は、パーソナルコンピュータなどにより構成され、写真シール販売機１の全体の動作を制御する。具体的には、制御装置１２１に設けられているＣＰＵ（Ｃｅｎｔｒａｌ  Ｐｒｏｃｅｓｓｉｎｇ  Ｕｎｉｔ）１６１により、ＲＯＭ（Ｒｅａｄ  Ｏｎｌｙ  Ｍｅｍｏｒｙ）１６２やハードディスクなどにより構成される記憶部１６６（いずれも図６）に記憶されているプログラムに基づく処理が実行される。
【００４２】
硬貨処理部１２３は、ユーザにより所定の代金が硬貨投入口１２に投入されたとき、それを検出し、制御装置１２１に通知する。
【００４３】
照明制御部１２４は、撮影装置３１により被写体が撮影されるタイミングに合わせて、制御装置１２１からの指示に基づいてフラッシュ光を出射する。出射されたフラッシュ光は、図４の照明装置１７−１乃至１７−５を介して被写体（ユーザ）を照明する。照明装置７１−１乃至７１−８は、照明制御部１２４からの制御に基づいて、選択された背景カーテン１０１−ｉを照明する。
【００４４】
音声出力制御部１２２は、制御装置１２１からの指示に基づいてスピーカ１３Ｒ、および１３Ｌを制御し、撮影操作などを説明する各種の音声ガイダンスや、例えば、静止画像を取り込むときのシャッタ音などの効果音を出力する。
【００４５】
表示プロセッサ１２５は、撮影処理が終了し、ユーザが編集を開始するとき、記憶部１６６（図６）から転送されてくるキープ画像を内蔵するメモリ（図示せず）に記憶する。そして、タッチパネル１２６は、線画用タッチペン１６Ａ、スタンプ用タッチペン１６Ｂ、および消しゴム用タッチペン１６Ｃにより、編集操作が入力されたとき、編集対象画像上における、その入力位置を検出し、表示プロセッサ１２５は、それを編集対象画像に反映させてモニタ１５に表示させる。なお、図５においては、モニタ１５とタッチパネル１２６は別の位置に示されているが、実際にはモニタ１５上にタッチパネル１２６が積層されている。
【００４６】
検知手段であるＩＤリーダ８１ＬおよびＩＤリーダ８１Ｒは、識別情報を含む背景カーテン１０１−１、１０１−２、１０１−３、１０１−４、および１０１−５の上部の左右両端に設けられたカーテンＩＤタグ９１−１Ｌ、９１−１Ｒ、９１−２Ｌ、９１−２Ｒ、９１−３Ｌ、９１−３Ｒ、９１−４Ｌ、９１−４Ｒ、９１−５Ｌ、９１−５Ｒを読み取り、制御装置１２１に通知する。このとき、識別情報は、接触式に限らず非接触式でもよい。また、バーコードでもよい。制御装置１２１は、ＩＤリーダ８１ＬとＩＤリーダ８１Ｒの少なくとも一方より通知されたＩＤに基づいて、撮影モードを設定し、音声出力制御部１２２および照明制御部１２４を制御し、スピーカ１３Ｒ、１３Ｌから設定された撮影モードに対応した音声を出力させるとともに、照明装置１７−１乃至１７−５を介して、予め指定された光量で被写体（ユーザ）を照明させる。
【００４７】
プリンタユニット１２７は、プリンタ部１４１と制御タグリーダライタ１４２により構成され、プリンタユニット１２７に装着されるシール紙ユニット１２８は、シール紙１５１と、個々のシール紙ユニット１２８を識別する識別情報等を管理する制御タグ１５２により構成される。
【００４８】
プリンタ部１４１は、編集処理等が施された画像データが制御装置１２１から供給されたとき、供給された画像データにより表される画像を、ユーザにより選択された画像のサイズおよび分割数に従って、シール紙１５１に印刷し、シール紙１５１をシール取り出し口４１に排出する。
【００４９】
制御タグリーダライタ１４２は、制御タグ１５２に記憶されている識別情報を接触または非接触により読み出し、制御装置１２１に出力する。制御装置１２１は、制御タグリーダライタ１４２から供給された識別情報に基づいて、装着されているシール紙ユニット１２８が、写真シール販売機１において利用可能なユニットであるか否かを判定し、利用可能なユニットであると判定したときにのみ、プリンタ部１４１を動作可能にする。すなわち、制御装置１２１により、写真シール販売機１において利用可能とされるシール紙ユニットの識別情報が管理されている。
【００５０】
これにより、写真シール販売機１に対応していない（純正のものでない）シール紙が利用されるのを抑制することができる。また、制御タグ１５２により、シール紙１５１の残量等も管理される。なお、シール紙ユニット１２８が純正のものであるか否かを、シール紙ユニット１２８にプリントされているバーコードなどにより確認させるようにしてもよい。
【００５１】
図６は、図５の制御装置１２１の詳細な構成例を示すブロック図である。
【００５２】
ＣＰＵ１６１は、ＲＯＭ１６２に記憶されているプログラム、または、記憶部１６６からＲＡＭ（Ｒａｎｄｏｍ  Ａｃｃｅｓｓ  Ｍｅｍｏｒｙ）１６３にロードされたプログラムに従って各種の処理を実行する。ＲＡＭ１６３にはまた、ＣＰＵ１６１が各種の処理を実行する上において必要なデータなどが適宜記憶される。
【００５３】
ＣＰＵ１６１、ＲＯＭ１６２、およびＲＡＭ１６３は、バス１６４を介して相互に接続されている。バス１６４にはまた、入出力インタフェース１６５も接続されている。
【００５４】
入出力インタフェース１６５には、図５に示される、撮影装置３１、音声出力制御部１２２、硬貨処理部１２３、照明制御部１２４、ＩＤリーダ８１Ｌ、８１Ｒ、表示プロセッサ１２５、およびプリントユニット１２７が接続されている。
【００５５】
記憶部１６６は、ＣＰＵ１６１により実行されるプログラムの他、撮影装置３１により取り込まれている被写体の画像と合成する背景画像のデータ、撮影して得られた画像のデータ、ＩＤリーダ８１ＬおよびＩＤリーダ８１Ｒより通知されたＩＤに基づいて音声出力制御部１２２を制御し、スピーカ１３Ｒ、１３Ｌから出力させる音声データ、ＩＤに対応する撮影モードの条件などを記憶する。記憶部１６６は、ＣＰＵ１６１からの要求に応じて、それらのデータを適宜読み出し、提供する。
【００５６】
入出力インタフェース１６５にはまた、必要に応じてドライブ１６７が接続され、磁気ディスク１７１、光ディスク１７２、光磁気ディスク１７３、または半導体メモリ１７４などが適宜装着され、それらから読み出されたコンピュータプログラムや背景画像データが必要に応じて記憶部１６６に保存される。
【００５７】
次に、図７のフローチャートを参照して、写真シール販売機１のゲーム処理について説明する。
【００５８】
最初にステップＳ１１において、制御装置１２１は、記憶部１６６に記憶されている、撮影の進行手順を示すデモンストレーション画面（以下、デモ画面と称する）のデータを読み出し、モニタ１５に出力し、図８に示されるように表示させる。図８の表示例においては、「お金を入れてね」のメッセージが表示されている。
【００５９】
ステップＳ１２において、制御装置１２１は、硬貨処理部１２３からの出力に基づいて、ユーザにより硬貨投入口１２に所定の代金（写真シール販売機の利用料金）が投入されたか否かを判定し、投入されたと判定するまでデモ画面を表示して待機する。また、制御装置１２１は、代金が投入されたと判定した場合、ステップＳ１３に進み、画像撮影処理を実行する。
【００６０】
この画像撮影処理について、図９のフローチャートを参照して説明する。図９のステップＳ５１において、制御装置１２１は、各種の機能や撮影方法を説明する説明画面をモニタ１５に表示する。なお、制御装置１２１は、硬貨が投入されることに応じて取り込み画像表示部３３に、カメラ３２が撮影している動画像を図１０に示されるように表示させる。
【００６１】
図１０の表示例においては、説明画面２５０の上部に、「背景カーテンを選択して用意ができたらスタートボタンを押してね」のメッセージが表示され、そのメッセージの下の中央部分には、取り込み画像表示部２５１が表示され、そこに、取り込み画像表示部３３と同様の、カメラ３２が撮影している動画像が表示される。説明画面２５０の右下には、ユーザが線画用タッチペン１６Ａ、スタンプ用タッチペン１６Ｂ、または消しゴム用タッチペン１６Ｃを操作することにより選択すると撮影を開始する撮影スタートボタン２５２が表示されている。また、説明画面２５０の左下には、撮影から画像編集までの一連の作業に与えられる制限時間の残り時間を示す残り時間表示部２５３が表示されている。図１０の場合、「１１９」と表示されており、残り時間が１１９秒であることが示されている。
【００６２】
ユーザ（被写体）は、背景カーテン１０１−１乃至１０１−５の中から、自分の好むものを選択し、選択したものを、図２と図３に、背景カーテン１０１−１として示されているように、背景の位置に移動、配置する。
【００６３】
ステップＳ５２において、制御装置１２１は、ユーザによって背景として選択され引き伸ばされた背景カーテン１０１−ｉの上部両端に設けられたカーテンＩＤタグ９１−ｉＬ、９１−ｉＲのＩＤをカーテンレール１１１の両端に設けられたＩＤリーダ８１Ｌ、８１Ｒにより読み出す。
【００６４】
ステップＳ５３において、制御装置１２１は、ＩＤリーダ８１Ｌ、８１Ｒのうちの少なくとも一方より読み出されたＩＤに対応したナレーションを記憶部１６６から読み出し、音声出力制御部１２２を制御し、スピーカ１３Ｒ、１３Ｌから出力させる。
【００６５】
なお、ＩＤリーダ８１Ｌ、８１Ｒ双方同時にＩＤを読み出せない場合、カーテンが正しく張られていないと判断して、音声出力制御部１２２を制御し、スピーカ１３Ｒ、１３Ｌからカーテンを正しく張るようユーザに指示するナレーションを出力することもできる。
【００６６】
図９に戻り、ステップＳ５４において、制御装置１２１は、図１０に示したような説明画面に応じて、撮影を開始するとき操作される撮影スタートボタン２５２が操作されたか否かを判定し、まだ操作されていないと判定した場合、ステップＳ６３に進み、所定時間が経過したか否かを判定する。ステップＳ６３において、制御装置１２１は、所定時間が経過したと判定した場合、ステップＳ５１に戻り、それ以降の処理を繰り返し実行する。ステップＳ６３において、制御装置１２１は、所定時間が経過していないと判定した場合、ステップＳ５４に戻る。
【００６７】
一方、制御装置１２１は、撮影スタートボタン２５２が選択されたと判定した場合、ステップＳ５５に進み、制御装置１２１は、ＩＤリーダ８１Ｌ、８１Ｒより読み出されたＩＤに基づいて照明制御部１２４を制御し、照明装置１７−１乃至１７−５を介して、予め指定された光量で被写体（ユーザ）を照明させるフラッシュ充電処理を実行する。
【００６８】
次に、ステップＳ５５の処理において実行されるフラッシュ充電処理について説明する。このフラッシュ充電処理には、図１１と図１２に示される２種類があり、そのいずれを実施するかは、管理者の選択による。
【００６９】
まず、図１１を参照して、フラッシュ充電処理１について説明する。ステップＳ８１において、制御装置１２１は、ＩＤリーダ８１Ｌ、８１Ｒより読み出されたＩＤに対応して記憶部１６６に記憶されている情報からＩＤにより識別される背景カーテンの色が淡色か否かを判定する。
【００７０】
ステップＳ８１の処理において、背景カーテンの色が淡色でないと判定された場合、処理は、ステップＳ８２に進み、制御装置１２１は、第１の撮影モードを設定し、照明制御部１２４を制御し、照明装置１７−１乃至１７−５のフラッシュを第１の基準量に充電させる。第１の基準量は、濃い赤色などの背景カーテンを照明した場合、適正な色調で撮像され、ピンク色等の淡色の背景カーテンを照明した場合、白色な色調で撮像されてしまうフラッシュ光量を発生するのに必要な充電量である。
【００７１】
ステップＳ８１の処理において、背景カーテンの色が淡色であると判定された場合、処理は、ステップＳ８３に進み、制御装置１２１は、第２の撮影モードを設定し、照明制御部１２４を制御し、照明装置１７−１乃至１７−５のフラッシュを第２の基準量に充電させる。第２の基準量は、ピンク色等の淡色の背景カーテンを照明した場合、適正な色調で撮像されるフラッシュ光量を発生するのに必要な充電量である。第１の基準量と第２の基準量のフラッシュ光量の関係は、第１の基準量のフラッシュ光量の方が、第２の基準量のフラッシュ光量より大きい関係にある。
【００７２】
ステップＳ８２またはステップＳ８３の処理の後、処理は、図９のステップＳ５６に進む。
【００７３】
次に、図１２を参照して、図１１の処理に代えて実行されるフラッシュ充電処理２について説明する。
【００７４】
図１２のステップＳ９１において、制御装置１２１は、ＩＤリーダ８１Ｌ、８１Ｒより読み出されたＩＤに対応して記憶部１６６に記憶されている情報から、その背景カーテンの色が青色か否かを判定する。
【００７５】
ステップＳ９１の処理において、背景カーテンの色が青色と判定された場合、処理は、ステップＳ９５に進み、制御装置１２１は、撮影モードをパールホワイトモードに設定し、照明制御部１２４を制御し、照明装置１７−１乃至１７−５のフラッシュをパールホワイトモード用に充電させる。
【００７６】
パールホワイトモードでは、図１３の撮影モード、照明装置（フラッシュ）の光量、並びに背景カーテンの種別との対応関係に示されるように、天井部材５３の中央に設けられた照明装置１７−５のフラッシュ光量が大となり、写真シール販売機１の正面上面１１−５に設けられた照明装置１７−３のフラッシュ光量が大となり、写真シール販売機１の左面１１−４に設けられた照明装置１７−２のフラッシュ光量が小となり、写真シール販売機１の右面１１−３に設けられた照明装置１７−１のフラッシュ光量が小となり、写真シール販売機１の正面下面１１−６に設けられた照明装置１７−４のフラッシュが充電されないように制御される。パールホワイトモードでフラッシュが充電され撮影されると、撮影されたユーザの肌の色は、白っぽい色調となる。
【００７７】
ステップＳ９１の処理において、カーテンの色が青色ではないと判定された場合、処理は、ステップＳ９２に進み、制御装置１２１は、ＩＤリーダ８１Ｌ、８１Ｒより読み出されたＩＤに対応して記憶部１６６に記憶されている情報から背景カーテンの色が黄色、ピンク色、もしくは、海の景色か否かを判定する。
【００７８】
スップＳ９２の処理において、背景カーテンの色が黄色、ピンク色、もしくは、海の景色と判定された場合、処理は、ステップＳ９６に進み、制御装置１２１は、撮影モードをナチュラルモードに設定し、照明制御部１２４を制御し、照明装置１７−１乃至１７−５のフラッシュをナチュラルモード用に充電させる。
【００７９】
ナチュラルモードでは、図１３に示されるように、天井部材５３の中央に設けられた照明装置１７−５のフラッシュが充電されず、写真シール販売機１の正面上面１１−５に設けられた照明装置１７−３のフラッシュ光量が大となり、写真シール販売機１の左面１１−４に設けられた照明装置１７−２のフラッシュ光量が小となり、写真シール販売機１の右面１１−３に設けられた照明装置１７−１のフラッシュ光量が小となり、写真シール販売機１の正面下面１１−６に設けられた照明装置１７−４のフラッシュが充電されないように制御される。ナチュラルモードでフラッシュが充電され撮影されると、撮影されたユーザの肌の色は、明るめの色調となる。
【００８０】
ステップＳ９２の処理において、背景カーテンの色が黄色、ピンク色、もしくは、海の景色と判定されなかった場合、処理は、ステップＳ９３に進み、制御装置１２１は、ＩＤリーダ８１Ｌ、８１Ｒより読み出されたＩＤに対応して記憶されている情報から背景カーテンの色が赤色か否かを判定する。
【００８１】
ステップＳ９３の処理において、背景カーテンの色が赤色であると判定された場合、処理は、ステップＳ９７に進み、制御装置１２１は、撮影モードをグラビアモードに設定し、照明制御部１２４を制御し、照明装置１７−１乃至１７−５のフラッシュをグラビアモードに充電させる。
【００８２】
グラビアモードでは、図１３に示されるように、天井部材５３の中央に設けられた照明装置１７−５のフラッシュ光量、および写真シール販売機１の左面１１−４に設けられた照明装置１７−２のフラッシュ光量が中となり、写真シール販売機１の正面上面１１−５に設けられた照明装置１７−３のフラッシュ、写真シール販売機１の右面１１−３に設けられた照明装置１７−１のフラッシュ、および写真シール販売機１の正面下面１１−６に設けられた照明装置１７−４のフラッシュが充電されないように制御される。グラビアモードでフラッシュが充電され撮影されると、撮影されたユーザの片側だけが明るめの色調となる。
【００８３】
ステップＳ９３の処理において、背景カーテンの色が赤色ではないと判定された場合、処理は、ステップＳ９４に進み、制御装置１２１は、撮影モードをホラーモードに設定し、照明制御部１２４を制御し、照明装置１７−１乃至１７−５のフラッシュをホラーモード用に充電させる。
【００８４】
ホラーモードでは、図１３に示されるように、天井部材５３の中央に設けられた照明装置１７−５のフラッシュ、写真シール販売機１の正面上面１１−５に設けられた照明装置１７−３のフラッシュ、写真シール販売機１の左面１１−４に設けられた照明装置１７−２のフラッシュ、および写真シール販売機１の右面１１−３に設けられた照明装置１７−１のフラッシュが充電されず、写真シール販売機１の正面下面１１−６に設けられた照明装置１７−４のフラッシュ光量が大となるように制御される。ホラーモードでフラッシュが充電され撮影されると、撮影されたユーザの下面だけが明るくなり、他の部分は暗くなる。
【００８５】
なお、撮影モードは、以上の形態に限らず、天井部材５３の中央に設けられた照明装置１７−５のフラッシュ光量、写真シール販売機１の正面上面１１−５に設けられた照明装置１７−３のフラッシュ光量、写真シール販売機１の左面１１−４に設けられた照明装置１７−２のフラッシュ光量、写真シール販売機１の右面１１−３に設けられた照明装置１７−１のフラッシュ光量、および写真シール販売機１の正面下面１１−６に設けられた照明装置１７−４のフラッシュ光量をそれぞれ、任意に設定することもできる。
【００８６】
ステップＳ９４、ステップＳ９５、ステップＳ９６、またはステップＳ９７の処理が終了した後、処理は図９のステップＳ５６に進む。
【００８７】
以上のようにして、ユーザが背景カーテンを選択すると、それに適した撮影モードが設定され、フラッシュの充電状態が制御される。したがって、ユーザは、複雑な操作をすることなく、変化に富んだ撮影画像を簡単に得ることが可能になる。
【００８８】
ステップＳ５６において、制御装置１２１は、モニタ１５にカウントダウンインジケータを表示させ、撮影するタイミングとなったとき、カメラ３２により撮影されている画像を記憶する（キャプチャする）。
【００８９】
図１４は、ステップＳ５６においてモニタ１５に表示される撮影画面の例を示す図である。図１４に示されるように、取り込み画像表示部２５１の右側には、カウントダウンインジケータ２６１が表示され、例えば、上側の信号から順に点灯が開始され、１番下側の信号が点灯されたとき、カメラ３２により撮影されている画像が取り込まれる（キャプチャされる）。
【００９０】
撮影するタイミングとなったとき、制御装置１２１は、照明制御部１２４を制御し、照明装置１７−１乃至１７−５により、ステップＳ５５のフラッシュ充電処理で充電されたフラッシュ光量で被写体を照明させるとともに、その瞬間にカメラ３２により取り込まれている画像を、静止画像として保存し、ＲＡＭ１６３に一時的に記憶させる。
【００９１】
図１５は、このようにして、ユーザがカメラ３２に向かって撮影している状態を側面から見た図であり、図１６は、カメラ３２の方向から見た状態を示す図である。
【００９２】
なお、本実施の形態においては、天井部材５３に設けられた照明装置７１−１、７１−２、７１−５、および７１−６と、撮影空間５２の床部に設けられた照明装置７１−３、７１−４、７１−７、および７１−８は、カーテン専用の照明装置として、常時カーテンを照明しているが、照明装置１７−１乃至１７−５と同様に、照明装置７１−１乃至７１−８にもフラッシュ光を発生させるようにすることもできる。
【００９３】
あるいはまた、例えば、ユーザがポージングしている撮影準備の段階において、カーテン用の照明装置７１−１乃至７１−８を点灯させておき、撮影の瞬間にカーテン用の照明装置７１−１乃至７１−８を消灯させ、入れ替わりに照明装置１７−１乃至１７−５を照明させるようにすることもできる。
【００９４】
以上の処理は、撮影段階において、背景カーテンとしてピンク色等の淡色カーテンを使用した場合、カーテン用の照明装置７１−１乃至７１−８により、背景カーテンが白色な色調で撮像されてしまうことを防止することが目的である。したがって、背景カーテンとして濃い色のカーテンを使用した場合、カーテン用の照明装置７１−１乃至７１−８は、常時点灯させておいてもかまわない。
【００９５】
なお、背景カーテンの色の濃度、あるいは柄等によって、適宜、カーテン用の照明装置７１−１乃至７１−８の点灯パターンを切り替えるようにしてもよい。また、照明装置１７−１乃至１７−５と連動して、どちらか一方、あるいは両方ともにフラッシュ光を発生させるようにすることもできる。
【００９６】
図９のステップＳ５７において、制御装置１２１は、ステップＳ５６で撮影した画像の確認画面をモニタ１５に表示させる。
【００９７】
図１７は、ステップＳ５７においてモニタ１５に表示される画像確認画面の例を示す図である。図１７において、モニタ１５に表示される画像確認画面２７０のほぼ中央に、ステップＳ５６で撮影された画像を表示する撮影画像表示部２７１が設けられている。そして、その撮影画像表示部２７１の下側には、「これをキープする？」のメッセージが表示されている。
【００９８】
また、確認画面２７０の右上部には、撮影画像表示部２７１に表示された撮影画像をキープするとき、ユーザが操作するキープボタン２７２が表示されている。そして、そのキープボタン２７２の下側には、再度撮影を行うとき、ユーザが操作するとりなおしボタン２７３が表示されている。
【００９９】
ユーザは、キープボタン２７２、またはとりなおしボタン２７３を操作することにより、撮影画像表示部２７１に表示された撮影画像を編集対象画像としてキープするか否かを指示する。
【０１００】
そして、制御装置１２１は、図９のステップＳ５８で、上述した撮影画像をキープ画像として保存することが指示された（キープボタン２７２が操作された）か否かを判定し、指示されていない（とりなおしボタン２７３が操作された）と判定した場合、ステップＳ５９に進み、ステップＳ５８で撮影し、ＲＡＭ１６３に記憶されている画像を消去する。そして、ステップＳ５１に戻り、それ以降の処理が繰り返し実行される。
【０１０１】
また、ステップＳ５８において、キープ画像として保存することが選択された（キープボタン２７２が操作された）と判定した場合、制御装置１２１は、ステップＳ６０に進み、その画像をキープ画像に追加する。
【０１０２】
撮影画像をキープ画像に追加した制御装置１２１は、ステップＳ６１において、モニタ１５に明るさ調整画面を表示し、追加したキープ画像の明るさを調整する。
【０１０３】
図１８は、ステップＳ６１でモニタ１５に表示される明るさ調整画面の例を示す図である。図１８の例において、モニタ１５に表示される明るさ調整画面２８０には、キープ画像として保存された撮影画像が表示される撮影画像表示部２８１がほぼ中央に表示されており、その撮影画像表示部２８１の下には、「明るさを調整してね」のメッセージが表示されている。
【０１０４】
また、撮影画像表示部２８１の右側には、ユーザにより指定された明るさのレベルを表示する明るさメータ２８２が表示されている。明るさメータ２８２の上部には、撮影画像を明るくするとき、ユーザが操作する明ボタン２８３が設けられており、明るさメータ２８２の下部には、撮影画像を暗くするとき、ユーザが操作する暗ボタン２８４が設けられている。ユーザが、線画用タッチペン１６Ａ、スタンプ用タッチペン１６Ｂ、または、消しゴム用タッチペン１６Ｃを操作することにより、明ボタン２８３を指定すると、明るさメータ２８２の中央部の点灯位置が１つ上側に移動し、撮影画像表示部２８１に表示されている撮影画像が明るくなる。
【０１０５】
また、逆に、ユーザが、線画用タッチペン１６Ａ、スタンプ用タッチペン１６Ｂ、または、消しゴム用タッチペン１６Ｃを操作することにより、暗ボタン２８４を指定すると、明るさメータ２８２の中央部の点灯位置が１つ下側に移動し、撮影画像表示部２８１に表示されている撮影画像が暗くなる。これにより、ユーザは撮影画像の明るさを調整することができる。
【０１０６】
また、明るさ調整画面２８０の右下には、撮影画像の明るさを決定するとき、ユーザが操作する決定ボタン２８５が表示される。ユーザは、明るさメータ２８２を見ながら、撮影画像表示部２８１に表示される撮影画像の明るさを調整し、所望の明るさに調整されたとき、決定ボタン２８５を操作して、撮影画像の明るさを決定する。制御装置１２１は、タッチパネル１２６からの入力に応じて、キープ画像の明るさを調整し、決定ボタン２８５が操作されたとき、そのレベルの明るさでキープ画像をＲＡＭ１６３に保存する。
【０１０７】
次に、ステップＳ６２において、制御装置１２１は、ＲＡＭ１６３に記憶されているキープ画像の枚数を確認し、残り撮影可能枚数が「０枚」となったか否かを判定し、残り撮影可能枚数が「０枚」でないと判定した場合、ステップＳ５１に戻り、同様の撮影処理を繰り返し実行する。ユーザは、例えば、３枚のキープ画像を得るまで撮影を行うことができる。
【０１０８】
以上の処理においては、ユーザが背景となるカーテンを選択することにより、自動的に撮影モードが決定されるので、従来のようにユーザが撮影モードを選択するために、写真シール販売機１のモニタ１５まで移動する必要がない。したがって、迅速かつ簡単に撮影モードが設定できる。
【０１０９】
次に、図１９乃至図２３を参照して、図７のステップＳ１３において実行される画像撮影処理の別の実施の形態について説明する。
【０１１０】
この実施の形態においては、図１９に示されるように、カーテン２０２は、撮影空間５２の天井部材５３付近に設けられた回転ローラ２０１−１、および撮影空間５２の床部付近に設けられた回転ローラ２０１−２の間で上下方向に巻かれた状態とされている。また、カーテン２０２と、照明装置７１−１、７１−２、７１−３、および７１−４の間には、偏光フィルム２１１が設けられている。
【０１１１】
そして、この場合、写真シール販売機１は、図２０に示されるように構成され、制御装置１２１は、図２１に示されるように構成される。この構成は、図５と図６の写真シール販売機１の構成から照明装置７１−５乃至７１−８が削除されたこと、およびカーテン駆動部１２９が設けられたこと以外は、図５と図６の構成と同様である。
【０１１２】
この場合、図７のステップＳ１３における画像撮影処理は、図２２に示されるようになる。図２２の画像撮影処理２におけるステップＳ１１１、ステップＳ１１６、およびステップＳ１１８乃至ステップＳ１２５の処理は、図９のステップＳ５１、ステップＳ５４、およびステップＳ５６乃至ステップＳ６３の処理と同様の処理となるので、繰り返しになるので、ここではその処理についての詳細な説明は省略する。
【０１１３】
ステップＳ１１１において、説明画面を表示させた後、ステップＳ１１２において、制御装置１２１は、背景カーテンの種類をモニタ１５に表示させる。
【０１１４】
ユーザは、その表示を見て、タッチパネル１２６を操作し、複数の背景カーテンの種類の中から、所望の背景カーテンを選択する。このとき、ステップＳ１１３において、制御装置１２１は、カーテン駆動部１２９を制御し、回転ローラ２０１−１、２０１−２を回転させて、選択された背景カーテンをユーザの背後に移動させる。
【０１１５】
なお、タッチパネル１２６の代わりに撮影空間５２の左右の壁面付近に、複数の背景カーテンの種類の中から、所望の背景カーテンを選択可能な押しボタンスイッチ等の入力操作部を設けてもよい。このようにすると、ユーザは、撮影位置から移動することなく背景カーテンを選択することができる。
【０１１６】
ステップＳ１１４において、回転ローラ２０１−１、２０１−２に設けられたＩＤリーダ８１Ｌ、８１Ｒにより、背景の区切りとなるカーテンの上下両端にそれぞれ設けられたカーテンＩＤタグ９１−１Ｌ乃至９１−５ＲのＩＤが読み出される。なお、この場合、ユーザが指定した種類に対応するＩＤを記憶部１６６から読み出すようにしてもよい。このようにすれば、ＩＤリーダとカーテンＩＤタグは不要となる。
【０１１７】
ステップＳ１１５において、制御装置１２１は、ＩＤリーダ８１Ｌ、８１Ｒより読み出されたＩＤに対応したナレーションを記憶部１６６から読み出させ、スピーカ１３Ｒ、１３Ｌから出力させる。
【０１１８】
ステップＳ１１６において、制御装置１２１は、図１０に示す撮影スタートボタン２５２が選択されたと判定した場合、ステップＳ１１７に進み、制御装置１２１は、読み出されたＩＤに基づいて照明制御部１２４を制御し、照明装置１７−１乃至１７−５のフラッシュを、第１の基準量、すなわち、濃い赤色などの背景カーテンを照明した場合、適正な色調の画像が得られる光量を発生するのに必要な充電量を充電させる。
【０１１９】
以下は、図９のステップＳ５６乃至Ｓ６２における場合と同様の処理が、ステップＳ１１８乃至Ｓ１２４において行われる。
【０１２０】
ステップＳ１１８において、図１４に示されるようなカウントダウン画面が、モニタ１５に表示され、カウントダウンインジケータ２６１の１番下側の信号が点灯されたとき、カメラ３２により撮影されている画像が記憶される。
【０１２１】
撮影するタイミングとなったとき、制御装置１２１は、照明制御部１２４を制御し、照明装置１７−１乃至１７−５に、ステップＳ１１７のフラッシュ充電処理で充電された第１の基準量のフラッシュ光量を発生させ、被写体に照明させるとともに、その瞬間にカメラ３２により取り込まれている画像を、静止画像として保存し、記憶部１６６に記憶させる。なお、偏光フィルム２１１より前方（カメラ３２側）に配置され、選択された背景カーテン２０２を偏光フィルム２１１を介して照明する照明装置７１−１乃至７１−４は、背景カーテン１０１−ｉを常時照明している。
【０１２２】
このようにして撮影を行っている状態を側面から見ると、図１９に示されるようになり、カメラ３２の方向から見ると、図２３に示されるようになる。
【０１２３】
すなわち、本実施の形態においては、濃い赤色などの背景カーテンを照明した場合、適正な色調で撮像され、ピンク色等の淡色の背景カーテンを照明した場合、白色な色調で撮像されてしまうフラッシュ光量でユーザが照明されるが、背景カーテン２０２と、照明装置１７−１乃至１７−５の間には、偏光フィルム２１１が設けられているため、フラッシュ光は、偏光フィルム２１１を往復で透過するとき減衰され、例え背景カーテン２０２がピンク色等の淡色であっても、白色な色調で撮像されてしまうことはなく、適正な色調で撮像される。
【０１２４】
また、偏光フィルム２１１を背景カーテン２０２と、照明装置７１−１乃至７１−４の間に設けるようにしたが、偏光フィルムをカメラ３２の前に設けるようにしても同様の効果を奏することができる。
【０１２５】
なお、偏光フィルムを背景カーテン２０２と、照明装置７１−１乃至７１−４の間、およびカメラ３２の前の両方に設け、さらに、カメラ３２の前に設けた偏光フィルムを回動可能にすることにより、フラッシュ光量を２段階で減衰できるようにすることもできる。
【０１２６】
以上のようにして、図７のステップＳ１３の画像撮影処理が行われた後、ステップＳ１４に進み、制御装置１２１は、表示プロセッサ１２５を制御して、モニタ１５に、図２４に示されるように、分割数選択画面を表示し、ユーザからの分割数の選択を受け付ける。
【０１２７】
図２４に示される分割数選択画面３２０において、画面の下部に、「配置パターンを決めてね。」のメッセージが表示されている。また、そのメッセージの上側には、指定されている画像配置パターンを示す配置パターン表示部３２１が設けられている。そして、配置パターン表示部３２１の左側には、現在の画像配置パターンの分割数である画像配置数を表示する配置数表示部３２２、次の画像配置パターンを選択するとき、ユーザが操作する次パターン選択ボタン３２３Ａ、および、前の画像配置パターンを選択するとき、ユーザが操作する前パターン選択ボタン３２３Ｂが表示される。そして、分割数選択画面３２０の右下には選択された画像配置パターンを決定するとき操作される決定ボタン３２４が表示されている。
【０１２８】
この分割数選択画面３２０において選択される画像配置パターンの候補は、制御装置１２１のＲＯＭ１６２またはＲＡＭ１６３等に記憶されている。ユーザが、線画用タッチペン１６Ａ、スタンプ用タッチペン１６Ｂ、または消しゴム用タッチペン１６Ｃを操作して、次パターン選択ボタン３２３Ａを操作した場合、制御装置１２１のＣＰＵ１６１は、現在配置パターン表示部３２１に表示されている画像配置パターンの次の候補をＲＯＭ１６２またはＲＡＭ１６３等より読み込み、配置パターン表示部３２１に表示させる。そして、その画像配置パターンの画像配置数を配置数表示部３２２に表示させる。
【０１２９】
同様に、ユーザが、線画用タッチペン１６Ａ、スタンプ用タッチペン１６Ｂ、または消しゴム用タッチペン１６Ｃを操作して、前パターン選択ボタン３２３Ｂを操作した場合、ＣＰＵ１６１は、現在配置パターン表示部３２１に表示されている画像配置パターンの前の候補をＲＯＭ１６２またはＲＡＭ１６３等より読み込み、配置パターン表示部３２１に表示させる。そして、その画像配置パターンの画像配置数を配置数表示部３２２に表示させる。
【０１３０】
ユーザが、線画用タッチペン１６Ａ、スタンプ用タッチペン１６Ｂ、または消しゴム用タッチペン１６Ｃを操作して、決定ボタン３２４を操作した場合、ＣＰＵ１６１は、ユーザに選択され、現在配置パターン表示部３２１に表示されている画像配置パターンを印刷用画像配置パターンとして決定する。
【０１３１】
画像配置パターンが決定された後、処理はステップＳ１５に進み、ＣＰＵ１６１は、編集処理を実行する。次に、図２５のフローチャートを参照して、ステップＳ１５の編集処理について詳細に説明する。
【０１３２】
図２５のステップＳ１４１において、ＣＰＵ１６１は、表示プロセッサ１２５を制御して、キープ画像データがＲＡＭ１６３から表示プロセッサ１２５に転送されたか否かを判定し、転送されたと判定するまで待機する。すなわち、撮影に関する処理が終了し、編集に関する処理を開始するとき、ＣＰＵ１６１は、ＲＡＭ１６３に記憶されているキープ画像を表示プロセッサ１２５に転送させる。ステップＳ１４１において、キープ画像データが表示プロセッサ１２５転送されたと判定した場合、ＣＰＵ１６１は、ステップＳ１４２に進み、表示プロセッサ１２５を制御して、そのキープ画像データを表示プロセッサ１２５が内蔵するメモリ（図示せず）に記憶させる。
【０１３３】
そして、ステップＳ１４３において、ＣＰＵ１６１は、表示プロセッサ１２５を制御し、モニタ１５に、図２６に示されるような画像編集画面を表示させる。
【０１３４】
図２６において、画像編集画面３５０の中央部には、編集対象画像を表示する編集画像表示部３５１が表示されている。
【０１３５】
その編集画像表示部３５１の右側には、入力ツール（書き込みツール）としてノーマルペン機能を選択するときユーザにより操作されるノーマルペンボタン３５２Ａ、入力ツールとしてふちどりペン機能を選択するときユーザにより操作されるふちどりペンボタン３５２Ｂ、入力ツールとしてラメペン機能を選択するときユーザにより操作されるラメペンボタン３５２Ｃ、入力ツールとして背景ブラシ機能を選択するときユーザにより操作される背景ブラシボタン３５２Ｄ、および、入力ツールとして楽々背景ブラシ機能を選択するときユーザにより操作される楽々背景ブラシボタン３５２Ｅが表示されている。
【０１３６】
また、編集画像表示部３５１の左側には、入力ツールとしてノーマルスタンプ機能を選択するときユーザにより操作されるノーマルスタンプボタン３５３Ａ、入力ツールとしてコロコロスタンプ機能を選択するときユーザにより操作されるコロコロスタンプボタン３５３Ｂ、および、入力ツールとしてビームスタンプ機能を選択するときユーザにより操作されるビームスタンプボタン３５３Ｃが設けられている。
【０１３７】
さらに、編集画像表示部３５１の下側には、直前の編集情報を取り消すときユーザにより操作されるやりなおしボタン３５４Ａ、および、編集情報を全て取り消すときユーザにより操作されるはじめからやりなおしボタン３５４Ｂが表示されている。
【０１３８】
ビームスタンプボタン３５３Ｃの下側には、キープ画像のうち１枚目の画像を表示する１枚目画像表示部３５５Ａ、キープ画像のうち２枚目の画像を表示する２枚目画像表示部３５５Ｂ、およびキープ画像のうち３枚目の画像を表示する３枚目画像表示部３５５Ｃが表示され、楽々背景ブラシボタン３５２Ｅの下側には、画像編集画面を終了するときユーザにより操作される終了ボタン３５６が表示されている。
【０１３９】
ノーマルペンボタン３５２Ａ、ふちどりペンボタン３５２Ｂ、ラメペンボタン３５２Ｃ、背景ブラシボタン３５２Ｄ、および楽々背景ブラシボタン３５２Ｅは、線画用タッチペン１６Ａ用のボタンである。すなわち、これらのボタンは、ユーザが線画用タッチペン１６Ａを操作して選択した場合のみ反応し、対応する機能を動作させる。
【０１４０】
例えば、ユーザが、線画用タッチペン１６Ａを操作して、ノーマルペンボタン３５２Ａを選択すると、ＣＰＵ１６１はノーマルペン機能を動作させる。このノーマルペン機能により、ユーザは、線画用タッチペン１６Ａを操作して、編集画像表示部３５１に表示された編集対象画像に線を描画することができる。
【０１４１】
同様に、ユーザが線画用タッチペン１６Ａを操作してふちどりペンボタン３５２Ｂを選択すると、ＣＰＵ１６１によりふちどりペン機能が実行され、ユーザは線画用タッチペン１６Ａを操作して編集画像表示部３５１に表示された編集対象画像に縁取り付きの線を描画することができる。また、ユーザが線画用タッチペン１６Ａを操作してラメペンボタン３５２Ｃを選択した場合、ＣＰＵ１６１は、ユーザが線画用タッチペン１６Ａを操作して編集対象画像にラメ入りの縁取り付き線を描画することができるラメペン機能を実行する。
【０１４２】
ユーザが線画用タッチペン１６Ａを操作して背景ブラシボタン３５２Ｄを選択した場合、ＣＰＵ１６１は背景ブラシ機能を実行する。この背景ブラシ機能により、ユーザは、線画用タッチペン１６Ａを操作して、編集画像表示部３５１に表示された編集対象画像に、エアブラシのように色を塗ることができる。
【０１４３】
同様に、ユーザが線画用タッチペン１６Ａを操作して楽々背景ブラシボタン３５２Ｅを選択した場合、ＣＰＵ１６１は楽々背景ブラシ機能を実行する。楽々背景ブラシ機能の場合、ユーザは、線画用タッチペン１６Ａを操作して、編集画像表示部３５１に表示された編集対象画像の被写体以外の部分にのみ、色を塗ることができる。
【０１４４】
また、ノーマルスタンプボタン３５３Ａ、コロコロスタンプボタン３５３Ｂ、およびビームスタンプボタン３５３Ｃは、スタンプ用タッチペン１６Ｂ用のボタンである。すなわち、これらのボタンは、ユーザがスタンプ用タッチペン１６Ｂを操作して選択した場合のみ反応し、対応する機能を動作させる。
【０１４５】
例えば、ユーザがスタンプ用タッチペン１６Ｂを操作してノーマルスタンプボタン３５３Ａを選択した場合、ＣＰＵ１６１は、ユーザに指定された所定の文字または絵柄をスタンプのように描くノーマルスタンプ機能を実行する。また、ユーザがスタンプ用タッチペン１６Ｂを操作してコロコロスタンプボタン３５３Ｂを選択した場合、ＣＰＵ１６１は、ユーザに指定された複数の所定の文字または絵柄をスタンプのように描くコロコロスタンプ機能を実行する。同様に、ユーザがスタンプ用タッチペン１６Ｂを操作してビームスタンプボタン３５３Ｃを選択した場合、ＣＰＵ１６１は、ビーム光線のような絵柄のスタンプを描くビームスタンプ機能を実行する。
【０１４６】
なお、ユーザは、消しゴム用タッチペン１６Ｃを用いて、上述したような機能を用いて編集画像表示部３５１に表示された編集対象画像に行った編集情報を消しゴムで消すように消去することができる。また、ユーザが消しゴム用タッチペン１６Ｃを操作した場合、編集情報だけでなく、撮影画像も消去することができるようにしてもよい。
【０１４７】
そして、編集画像表示部３５１の下側に表示される、やりなおしボタン３５４Ａ、および、はじめからやりなおしボタン３５４Ｂは、消しゴム用タッチペン１６Ｃ用のボタンである。すなわち、これらのボタンは、ユーザが消しゴム用タッチペン１６Ｃを操作して選択した場合のみ反応し、対応する機能を動作させる。
【０１４８】
また、ユーザが、線画用タッチペン１６Ａ、スタンプ用タッチペン１６Ｂ、または消しゴム用タッチペン１６Ｃを操作して、１枚目画像表示部３５５Ａ、２枚目画像表示部３５５Ｂ、または３枚目画像表示部３５５Ｃを選択すると、選択された画像が編集画像表示部３５１に表示される。これにより、ユーザは、キープ画像に記憶されている１枚目の画像、２枚目の画像、および３枚目の画像の中から、所望する画像を選択して編集を行うことができる。
【０１４９】
ユーザは、編集処理を終了し、画像編集画面３５０を終了させる場合、線画用タッチペン１６Ａ、スタンプ用タッチペン１６Ｂ、または消しゴム用タッチペン１６Ｃを操作して終了ボタン３５６を選択する。
【０１５０】
以上のような画像編集画面３５０を利用して、ユーザは、撮影画像に編集を行う。
【０１５１】
図２５に戻り、ステップＳ１４４において、ＣＰＵ１６１は、タッチパネルに接触したタッチペンを特定する。ユーザが線画用タッチペン１６Ａ、スタンプ用タッチペン１６Ｂ、または、消しゴム用タッチペン１６Ｃを操作して、図２６の画像編集画面３５０において画像編集入力やボタンの操作を行うと、ＣＰＵ１６１は、タッチパネルに接触したタッチペンを特定することで、入力に使用されたタッチペンを特定する。これにより、ＣＰＵ１６１は、入力に使用されたタッチペンに対応する処理を実行することができる。
【０１５２】
ステップＳ１４４において、タッチパネルに接触したタッチペンを特定したＣＰＵ１６１は、ステップＳ１４５において、特定されたタッチペンに対応する機能に基づいて、画像を編集する。ＣＰＵ１６１は、表示プロセッサ１２５を制御して、タッチパネル１２６からの入力に基づいて、ユーザからタッチペンにより入力された各種の指示を識別し、それに応じて編集対象画像を編集する。ＣＰＵ１６１は、表示プロセッサ１２５を制御し、例えば、編集対象画像として選択された画像を、２つのフレームバッファに記憶させ、入力された編集を片方のフレームの画像に反映させる。そして、ＣＰＵ１６１は、表示プロセッサ１２５を制御し、その編集が取り消されたとき（ユーザが消しゴム用タッチペン１６Ｃを操作して、消しゴム処理が入力されたとき）、編集が反映されていないフレームの画像（もう片方の画像）の対応する部分のデータを、編集を反映させる画像のフレームに反映することにより、その編集を取り消す。
【０１５３】
ステップＳ１４６において、ＣＰＵ１６１は、表示プロセッサ１２５を制御し、タッチパネル１２６からの入力に基づいて編集した画像をモニタ１５に表示させる。すなわち、モニタ１５には、上述した２つのフレームバッファのうち、編集を反映した方のフレームバッファに記憶されている画像が表示され、ユーザが書き込みをしたとき、その書き込みがリアルタイムで反映されて表示される。
【０１５４】
図２７は、画像編集画面に表示される編集画像の表示例を示す図である。
【０１５５】
図２７Ａに示す場合、ユーザは、消しゴム用タッチペン１６Ｃを操作して、編集画像表示部３５１に表示された編集対象画像に編集入力を行っており、開始点３７１において消しゴム用タッチペン１６Ｃをタッチパネル１２６に接触させ、接触させたまま終了点３７２まで移動させ、終了点３７２においてタッチパネル１２６より離して入力を終了している。この場合、ＣＰＵ１６１は、消しゴム機能により、消しゴム用タッチペン１６Ｃの軌跡に沿って編集対象画像を消去している。これにより、ユーザは、消しゴム用タッチペン１６Ｃを操作して、編集対象画像、または編集情報を消しゴムで消すように消去することができる。
【０１５６】
また、図２７Ｂに示すように、ＣＰＵ１６１が、ユーザが消しゴム用タッチペン１６Ｃを操作してタッチパネル１２６に接触させた開始点３８１および終了点３８２を対角線とする矩形の内側の編集対象画像、または編集情報を消去するようにしてもよい。
【０１５７】
ステップＳ１４７において、ＣＰＵ１６１は、制限時間が経過したか否か、または画像編集画面３５０の終了ボタン３５６が操作されたか否かを判定し、制限時間が経過しておらず、かつ、終了ボタンが操作されていないと判定した場合、ステップＳ１４４に戻り、それ以降の処理を繰り返し実行する。
【０１５８】
制限時間が経過したか、またはタッチパネル１２６からの入力に基づいて、終了ボタンが操作されたと判定した場合、ＣＰＵ１６１は、図２５の処理を終了し、図７のステップＳ１６に進む。
【０１５９】
なお、以上においては、編集処理をＣＰＵ１６１が実行するようにしたが、表示プロセッサ１２５が実行するようにしてもよい。
【０１６０】
図７のステップＳ１６において、ＣＰＵ１６１は、表示プロセッサ１２５に指令して、モニタ１５に、ゲーム終了の案内を表示させる。ユーザは、印刷待ち空間６１に移動し、シール取り出し口４１からシール紙が排出されてくるのを待機する。
【０１６１】
その後、処理はステップＳ１７に進み、編集が施された合成画像がシール紙１５１に印刷される。すなわち、ＣＰＵ１６１により、編集が施された合成画像のデータがプリンタ部１４１に出力され、そのデータに基づいて、シール紙１５１に画像が印刷される。合成画像が印刷されたシール紙１５１は、シール取り出し口４１から排出される。その後、ステップＳ１１に戻り、ステップＳ１１以降の処理が繰り返される。
【０１６２】
本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１６３】
【発明の効果】
本発明によれば、背景カーテンの色に関わらず、適正な色調で撮影することができる。特に、簡単な操作で、確実に、変化に富んだ画像を提供することが可能となる。
【図面の簡単な説明】
【図１】本発明を適用した写真シール販売機の配置の例を示す側面図である。
【図２】写真シール販売機の配置の例を示す平面図である。
【図３】背景カーテンが引き伸ばされた状態を示す斜視図である。
【図４】図１の写真シール販売機の構成例を示す斜視図である。
【図５】図４の写真シール販売機の内部の構成例を示すブロック図である。
【図６】図５の制御装置の詳細な構成例を示すブロック図である。
【図７】図４の写真シール販売機のゲーム処理を説明するフローチャートである。
【図８】デモ画面の表示例を示す図である。
【図９】図７のステップＳ１３の画像撮影処理を説明するフローチャートである。
【図１０】説明画面の表示例を示す図である。
【図１１】図９のステップＳ５５のフラッシュ充電処理を説明するフローチャートである。
【図１２】図９のステップＳ５５のフラッシュ充電処理の他の例を説明するフローチャートである。
【図１３】撮影モード、照明装置（フラッシュ）の光量、並びに背景カーテンの種別との対応関係を示す図である。
【図１４】カウントダウン画面の表示例を示す図である。
【図１５】ユーザが撮影されるときの状態をカメラの側面から見た図である。
【図１６】ユーザが撮影されるときの状態をカメラの方向から見た図である。
【図１７】撮影された画像の表示例を示す図である。
【図１８】明るさ調整画面の例を示す図である。
【図１９】背景カーテンの配置を示す図である。
【図２０】写真シール販売機の他の実施の形態の構成例を示すブロック図である。
【図２１】図２０の制御装置の構成例を示すブロック図である。
【図２２】図７のステップＳ１３の画像撮影処理の他の例を説明するフローチャートである。
【図２３】ユーザが撮影されるときの状態をカメラの方向から見た図である。
【図２４】分割選択画面の例を示す図である。
【図２５】図７のステップＳ１５の編集処理を説明するフローチャートである。
【図２６】画像編集画面の例を示す図である
【図２７】画像編集画面に表示される編集画像の表示例を示す図である。
【符号の説明】
１  写真シール販売機
１６Ａ  線画用タッチペン
１６Ｂ  スタンプ用タッチペン
１６Ｃ  消しゴム用タッチペン
１７−１乃至１７−５  照明装置
３１  撮影装置
３２  カメラ
３３  画像表示部
１０１−１乃至１０１−５  背景カーテン
１２６  タッチパネル
１２７  プリンタユニット
【図１】
2004177767.tif 000003
【図２】
2004177767.tif 000004
【図３】
2004177767.tif 000005
【図４】
2004177767.tif 000006
【図５】
2004177767.tif 000007
【図６】
2004177767.tif 000008
【図７】
2004177767.tif 000009
【図８】
2004177767.tif 000010
【図９】
2004177767.tif 000011
【図１０】
2004177767.tif 000012
【図１１】
2004177767.tif 000013
【図１２】
2004177767.tif 000014
【図１３】
2004177767.tif 000015
【図１４】
2004177767.tif 000016
【図１５】
2004177767.tif 000017
【図１６】
2004177767.tif 000018
【図１７】
2004177767.tif 000019
【図１８】
2004177767.tif 000020
【図１９】
2004177767.tif 000021
【図２０】
2004177767.tif 000022
【図２１】
2004177767.tif 000023
【図２２】
2004177767.tif 000024
【図２３】
2004177767.tif 000025
【図２４】
2004177767.tif 000026
【図２５】
2004177767.tif 000027
【図２６】
2004177767.tif 000028
【図２７】
2004177767.tif 000029